(57)【要約】【課題】狭い場所においても、安定して小型・軽量の楽器を載置することができ、楽器の演奏形態に応じて載置部の高さを調整することができ、かつ、女性であっても持ち運びや組み立ておよび解体が簡単にできる演奏台を提供する。【解決手段】取付台部１５に伸縮可能な３本の脚が取付台部１５を頂点とする三角錐状に開閉自在に取り付けられた２つの三脚台１４が、楽器を載置可能な載置台１２の下面の両端側にそれぞれ１個ずつ、取付台部１５を介して着脱自在に取り付けられたことを特徴とする演奏台１０である。【選択図】        図１
2004317607.tif 000002
【特許請求の範囲】
【請求項１】
取付台部に伸縮可能な３本の脚が該取付台部を頂点とする三角錐状に開閉自在に取り付けられた２つの三脚台が、楽器を載置可能な載置台の下面の両端側にそれぞれ１個ずつ、前記取付台部を介して着脱自在に取り付けられたことを特徴とする演奏台。
【請求項２】
前記三脚台がカメラ用の三脚台で、前記載置台の高さが自在に調節可能であることを特徴とする請求項１記載の演奏台。
【請求項３】
前記取付台部は、上方に突出するネジを有し、該ネジが前記載置台の上面の所要箇所に設けた凹穴内に突出し、該ネジに螺合された締付ナットにより前記凹穴底面に締め付けられることにより前記三脚台が前記載置台に着脱可能であることを特徴とする請求項１または２記載の演奏台。
【請求項４】
前記載置台は、少なくとも凹穴が形成されている部分を除いて中空に形成されていることを特徴とする請求項３記載の演奏台。
【請求項５】
前記凹穴が形成されている部位の載置台下面側に補強材が設けられていることを特徴とする請求項３または４に記載の演奏台。
【請求項６】
前記載置台と前記取付台部との間にスペーサが介挿されていることを特徴とする請求項１〜５のうちいずれか一項に記載の演奏台。
【請求項７】
前記載置台に、譜面台載置部が引き出し式に出し入れ自在に設けられていることを特徴とする請求項１〜６のうちいずれか一項に記載の演奏台。
【発明の詳細な説明】
【０００１】
【発明の属する技術分野】
本発明は、楽器の演奏台に関し、より詳細には、大正琴等の小型で軽量な楽器を演奏姿勢に応じて好適に載置することができる楽器の演奏台に関する。
【０００２】
【従来の技術】
小型で軽量な楽器の演奏台に関しては、特許文献１に記載されているような大正琴載置台が開示されている。特許文献１に係る大正琴載置台は、楽譜面を見やすくするために譜面台を傾けて配設すると共に、収納時においては、略一体にすることが可能である点が開示されている。
【０００３】
【特許文献１】
実開平６−４０９９６号公報
【０００４】
【発明が解決しようとする課題】
特許文献１に記載の大正琴載置台によれば、譜面が見易く、持ち運びが容易であることから、大正琴を載置台に乗せて演奏する際において好適に用いることができる。
しかしながら、大正琴を載置台に載置して演奏する際のほとんどの場合は発表会である。発表会においては、多数の演奏者を同時に舞台に立たせなければならないが、特許文献１に記載されているような譜面台にも脚が取り付けられている載置台の場合、載置台の配設スペースが大きくなってしまうため、舞台上に多数の演奏者を並べることが困難になるという課題がある。
また、広い舞台に多数の演奏者を並べて小型の楽器を演奏しようとしても、小型楽器ゆえに、音量が不足して、会場全体に大正琴の音色を響かせるのが困難になる課題がある。また、小型楽器の音量を増大させるためには、電気アンプを使用する等の余分な電気装置を使用しなければならなくなるという課題もある。
【０００５】
本発明は、以上に述べた課題を解決し、使い勝手の良い小型楽器の演奏台を提供するためになされたものである。すなわち、省スペースで演奏台を配置することができるため、多数の演奏者を並べる際においても大規模な会場を準備する必要がなく、電気アンプ等の余分な電気装置を使用することなく小型の楽器であっても音色を響かせることが可能な大正琴演奏台の提供を目的としている
【０００６】
【課題を解決するための手段】
以上の目的を達成するために、本発明に係る楽器演奏台は以下に示す構成を有している。
すなわち、本発明は、取付台部に伸縮可能な３本の脚が該取付台部を頂点とする三角錐状に開閉自在に取り付けられた２つの三脚台が、楽器を載置可能な載置台の下面の両端側にそれぞれ１個ずつ、前記取付台部を介して着脱自在に取り付けられたことを特徴とする演奏台である。
これにより、簡単な操作で高さ調節が可能な分割式の演奏台とすることができるので、持ち運びや設置が容易に行うことができる。
【０００７】
また、前記三脚台がカメラ用の三脚台で、前記載置台の高さが自在に調節可能であることが好ましい。
これにより、高さ調節が自在であると共に、コンパクトで組み立て・解体が簡単に行える演奏台を安価で提供することができる。
【０００８】
さらに、前記取付台部は、上方に突出するネジを有し、該ネジが前記載置台の上面の所要箇所に設けた凹穴内に突出し、該ネジに螺合された締付ナットにより前記凹穴底面に締め付けられることにより前記三脚台が前記載置台に着脱可能であることが好ましい。
これにより、三脚台と載置台の組み立てが容易に行うことができながらも、確実な取付が可能になる。
【０００９】
また、前記載置台は、少なくとも凹穴が形成されている部分を除いて中空に形成されていることが好ましい。
これにより、演奏台を大幅に軽量化させることができるので、演奏者の大多数を占める女性であっても、持ち運びが容易になる。
さらにまた、前記凹穴が形成されている部位の載置台下面側に補強材が設けられていることが好ましい。
これによれば、締付ナットで締め付けを行っても載置台が傷みにくくなるので、繰り返しの使用にも十分耐えることができる。
【００１０】
さらに、前記載置台と前記脚部とはスペーサを介して取り付けられていることが好ましい。
これにより、載置台と三脚台とのぐらつきを抑えることができるので、安定した演奏台を提供することが可能になる。
【００１１】
また、前記載置台に、譜面台載置部が引き出し式に出し入れ自在に設けられていることが好ましい。
これにより、載置台の部分だけのスペースがあれば演奏台を配設することができるので、小さい会場であっても多数の演奏者を並べることが可能になる。また、譜面台が必要な時だけ譜面台を出すことができるので、持ち運びや保管の際に好適である。
【００１２】
【発明の実施の形態】
（第１の実施の形態）
図１は、本発明の一実施例を示す正面図である。図２は、本実施の形態に係る演奏台の平面図である。なお、本実施の形態においては、小型で軽量な楽器として大正琴を例にとり、本願発明に係る演奏台を大正琴演奏台として詳細な説明を進めることにする。
本実施の形態に係る大正琴演奏台１０は、大正琴を載置する載置台１２と、載置台１２を支持し、載置台１２の高さを調整自在に設けられた三脚台１４と、載置台１２と三脚台１４とを着脱自在に取り付けすることが可能な取付手段１６とにより構成されている。図中のＡ部分は、載置台１２と三脚台１４との接続部分を示している。
【００１３】
大正琴を演奏するほとんどが女性であることから、大正琴演奏台１０は軽量であることが好ましい。そこで、本実施の形態に係る大正琴演奏台１０の載置台１２は、単純な一枚板を用いずに、一部が中空構造となるような合板により形成している。合板の構造としては、例えば図２に示すように、一定間隔で配設した桟木１２ａを化粧版１２ｂで挟み込んで直方体状に形成する構造が考えられる。
載置台１２と三脚台１４との接続部分は、図２から明らかなように、載置台１２の桟木１２ａ部分に形成されている。桟木１２ａには、三脚台１４の先端１４ａを挿通させるための貫通孔２０と、貫通孔２０と同心円に形成された凹穴２２がそれぞれ形成されている。凹穴２２が形成されている載置台１２の下面側には補強材１３が設けられているので、大正琴演奏台１０を多数回にわたり組立解体しても、貫通孔２０および凹穴２２の底面近傍をいたみにくくすることができるので好適である。
１４ａは三脚台１４の先端部であり、１５は三脚台１４の取付台部である。また、１６は締付ナットである。三脚台１４の先端部１４ａは、雄ネジ加工がなされていて、三脚台１４の先端部１４ａを貫通孔２０に挿通させた後、締付ナット１６により螺着することにより載置台１２に一体に接続することができる。取付台部１５により、三脚台１４の３本の脚がしっかりと支持されているので、載置台１２を安定して支持させることができる。
【００１４】
図３は、図２中のａ−ａ線における断面図のうち、図１のＡ部分のみを抜き出した説明図である。
桟木１２ａには凹穴２２が形成されており、凹穴２２の中心部分に貫通孔２０が形成されている。ここに、凹穴２２の直径は、脚部の先端部１４ａに螺着させる締付ナット１６を手で締め付けることができるように、締付ナット１６の外周縁と凹穴２２の内周面との間に少なくとも指先が入る程度の隙間ができるような大きさに形成しておくのが好ましい。
【００１５】
本実施の形態においては、三脚台１４にカメラ用の三脚を用いている。カメラ用の三脚台１４は、取付台部１５を頂点として、脚が三角錐状に開閉自在に形成されていて、脚の長さ調整が可能であるので、持ち運びやすく、操作性が優れているので好適である。また、既製品を流用することにより、大正琴演奏台１０の製造コストを大幅に引き下げることができる。また、三脚台１４は、アルミニウム製等の軽量のものを採用すれば、大正琴演奏台１０の全体重量を従来品に比べて大幅に軽量化することができるため非常に好適である。
【００１６】
三脚台１４の先端部分１４ａの長さは、使用する三脚により異なるため、場合によっては、三脚台１４の先端部分１４ａを貫通孔２０に挿通させると、載置台の上面からはみ出してしまうおそれがある。そこで、三脚台１４（三脚）の先端部分１４ａにスペーサ３０を介して載置台１２に取り付けすれば、三脚台１４の先端部分１４ａが凹穴２２の内空間に収納させてしまうことができるので、凹穴２２から突起物があらわれることがなく、載置台１２の上面を平坦にすることができる。
また、スペーサ３０はワッシャ的な作用もなすため、脚部の先端部分１４ａを締付ナット１６で締め付けする際において確実なに締め付け作業ができ、好適である。
【００１７】
図４は、本実施の形態に係る大正琴演奏台１０の三脚台１４を縮めた状態における正面図である。図４のように脚１４ｂを短くすれば、座って大正琴を演奏する際にも好適に用いることができる。
三脚台１４は高さ調整機能を具備している。本実施の形態においては、それぞれの脚１４ｂは接地部１４ｃに向かって段階的に縮径する構造であり、脚１４ｂの径が変わる位置において、大径側の脚１４ｂ１にストッパ１４ｄが設けられている。大径側に設けられたストッパ１４ｄにより、小径側の脚１４ｂ２を締め付けて保持することにより、任意の位置で三脚台１４の長さを固定することができる。これにより、地表面が平坦でない屋外においても大正琴演奏台１０を平坦に設置させることができるため好適である。
【００１８】
本実施の形態における大正琴演奏台１０は、組立・解体が手作業で簡単に行うことができる。また、中空構造の載置台１２を用いていることにより、軽量な大正琴演奏台１０とすることが可能になる。
これらにより、大正琴の主たる使用者である女性であっても、大正琴演奏台１０の持ち運びが容易になるため好適である。また、三脚台１４は高さ調節が可能であることから、あらゆる状況下において好適な演奏姿勢を提供することができる。
【００１９】
（第２の実施の形態）
本実施の形態においては、先の実施の形態に係る大正琴演奏台１０に譜面を載置するための譜面台４０を設置するための譜面台載置部４２を追加的に配設したものである。
図５は、第２の実施の形態に係る大正琴演奏台の譜面台載置部近傍の説明正面図である。図６は、図５における説明底面図である。図７は、第２の実施の形態における大正琴載置台の使用状態における平面図である。
譜面台設置部４２は、載置台１２の下面に引き出し式に配設されている。譜面台載置部４２は、載置台１２と同材料であっても良いが、本実施の形態においては、アクリル板により形成している。
【００２０】
譜面台載置部４２は、アクリル板４２ａの前端面には引き出し用の取手４２ｂが、後端面には抜け止め用のストッパ４２ｃが取り付けられている。譜面台載置部４２は、載置台１２の下面に対向して設けられた正面視略Ｌ字形かつ、底面視略逆Ｌ字形に形成された係止具４４によりスライド可能に支持されている。
図６から明らかなように、譜面台載置部４２を矢印方向に引き出すと、ストッパ４２ｃと係止具４４の前端部の幅広部４４ａに当接することにより、載置台１２から抜けてしまうことがなく、紛失のおそれがないため好適である。
【００２１】
アクリル板４２ａの上面には、譜面台４０の脚部を係合させるための係合穴４２ｄが形成されている。また、載置台１２の上面にもアクリル板４２ａと同様の譜面台４０の脚部４０ａを係合する係合穴１２ｃが形成されている。
このように載置台１２の上面と譜面台支持部４２のアクリル板４２ａの上面に譜面台４０を支持させるための係合穴１２ｃ、４２ｄが形成されているので、譜面台４０を安定して配設することができるため、万が一演奏者の脚が、大正琴演奏台１０の脚１４に当たってしまった場合であっても、譜面台４０が載置台１２から落下してしまうことがないため、楽器の演奏に集中することができるので好適である。
【００２２】
（第３の実施の形態）
図８は、第３の実施の形態に係る大正琴演奏台の平面図である。
先の実施の形態においては、載置台１２の軽量化を図るべく、載置台１２を中空構造に形成したが、本実施の形態においては、載置台１２を軽量化する目的の他に、載置台１２の中空部分に譜面台載置部４２を収納させることを可能にしたことを特徴としている。
本実施の形態において、第１、第２の実施の形態と共通する構成要素においては、各実施の形態における構成要素と同符号を付すことにより、これらについての詳細な説明は省略する。
【００２３】
本実施の形態における載置台１２は、先の実施の形態と異なり、載置台１２の中心部分に桟木１２ａがこないように配設されている。したがって本実施の形態における大正琴演奏台１０は、載置台１２の補強部材が無い位置に大正琴が配設されることになるが、そもそも大正琴の重量が小さいうえ、演奏時においても、演奏者が大正琴に大きな力を作用させることがないため、載置台１２における強度的な問題はない。
【００２４】
図９は図８のｂ−ｂ線における断面図である。
譜面台載置部４２は、中央側に配設された桟木１２ａの間に引き出し自在に配設されている。より詳細には、譜面台載置部４２の側面に形成された凸部４２ｓと桟木１２ａの内側面に形成された凹溝１２ｓとが互いに緩く嵌合するように配設されている。なお、譜面台載置部４２の側面の凸部４２ｓまたは桟木１２ａの凹溝１２ｓのいずれかに戸車（図示せず）を配設すれば、譜面台載置部４２の出し入れが円滑に行えるためさらに好適である。
【００２５】
このように、譜面台載置部４２を載置台１２の中空構造部へ引き出し自在に格納したことにより、譜面台を載置させることが可能でありながらも、大正琴演奏台１０を薄型ですっきりとした構造にさせることができるため好適である。
【００２６】
以上に本発明に係る演奏台１０について大正琴を例にした実施の形態について詳細に説明してきたが、本演奏台は大正琴以外にも、小型で軽量な楽器であれば大正琴以外の楽器（例えば文化琴）であっても好適に演奏台１０として利用することができるのはいうまでもない。
また、図示しないが、従来用いられているワンタッチシュー式のカメラ用三脚を用いれば、載置台１２と三脚台１４とをワンタッチで取り付けすることができるため、機械操作の苦手な女性であっても、さらに簡単に演奏台の組立・解体をすることができるため好適である。
さらに、譜面台載置部４２に譜面台４０を載置せずに、直接譜面を載置する使用形態であっても良い。譜面台載置部４２に直接譜面を載置させる場合においては、譜面の設置角度を変更可能となるように、譜面台載置部４２を複数枚の板材を回動自在な連結具により連結して構成させれば好適である。
【００２７】
【発明の効果】
本発明によれば、２つの三脚台が、楽器を載置可能な載置台の下面の両端側にそれぞれ１個ずつ、取付台部を介して着脱自在に取り付けられたことことにより、誰でも簡単に演奏台を組み立て・解体することができる。
また、三脚台がカメラ用の三脚台で、前記載置台の高さが自在に調節可能にしたことにより、高さ調節が自在であると共に、コンパクトで組み立て・解体が簡単に行える大正琴演奏台を提供することができる。
さらにまた、取付台部は、上方に突出するネジを有し、該ネジが載置台の上面の所要箇所に設けた凹穴内に突出し、該ネジに螺合された締付ナットにより前記凹穴底面に締め付けられることにより前記三脚台が前記載置台に着脱可能であることにより、三脚と載置台の組み立てが容易に行うことができながらも、確実な取付が可能になる。
【００２８】
さらに、前記載置台は、少なくとも凹穴が形成されている部分を除いて中空に形成されていることにより、大正琴演奏台を大幅に軽量化させることができるので、演奏者の大多数を占める女性であっても、持ち運びが容易になる。
また、前記凹穴が形成されている部位の載置台下面側に補強材が設けられていることにより、締付ナットで締め付けを行っても載置台が傷みにくくなるので、繰り返しの使用にも十分耐えることができる。
【００２９】
さらにまた、前記載置台と前記脚部とはスペーサを介して取り付けられていることにより、載置台と脚部とのぐらつきを抑えることができるので、安定した演奏台を提供することが可能になる。
また、前記載置台に、譜面台載置部が引き出し式に出し入れ自在に設けられていることにより、載置台の部分だけのスペースがあれば大正琴演奏台を配設することができ、小さい会場であっても多数の演奏者を並べることが可能になる。また、譜面台が必要な時だけ譜面台を出すことができるので、持ち運びや保管が容易になる等といった著効を奏する。
【図面の簡単な説明】
【図１】第１の実施の形態を示す正面図である。
【図２】第１の実施の形態に係る大正琴演奏台の平面図である。
【図３】図２中のａ−ａ線における断面図のうち、図１のＡ部分のみを抜き出した説明図である。
【図４】大正琴演奏台の脚部を縮めた状態における正面図である。
【図５】第２の実施の形態に係る大正琴演奏台の譜面台載置部近傍の説明正面図である。
【図６】図５における説明底面図である。
【図７】第２の実施の形態における大正琴載置台の使用状態における平面図である。
【図８】第３の実施の形態に係る大正琴演奏台の平面図である。
【図９】図８のｂ−ｂ線における断面図である。
【符号の説明】
１０  大正琴演奏台
１２ｓ  凹溝
１２ａ  桟木
１２  載置台
１３  補強材
１４  三脚台
１５  取付台部
１６  締付ナット
２０  貫通孔
２２  凹穴
３０  スペーサ
４０  譜面台
４２  譜面台設置部
【図１】
2004317607.tif 000003
【図２】
2004317607.tif 000004
【図３】
2004317607.tif 000005
【図４】
2004317607.tif 000006
【図５】
2004317607.tif 000007
【図６】
2004317607.tif 000008
【図７】
2004317607.tif 000009
【図８】
2004317607.tif 000010
【図９】
2004317607.tif 000011